(57)【要約】      （修正有）【課題】ストック及び処分するのに便利なペーパー容器を提供する。【解決手段】中空で上方及び下方に開口する逆角錘台状の枠体を構成する枠状シート１０と、枠状シート１０の下端開口と相似形状で下端開口よりも大きな底片５０ａと、底片５０ａの各辺部のそれぞれに折れ目を介して連結される補強片５０ｂとを有し、枠状シート１０に上方から挿入可能に構成された内側シート５０と、を備え、内側シート５０は、枠状シート１０に挿入したとき、底片５０ａが枠状シート１０の下端から所定高さ位置に水平状態で枠状シート１０に嵌合され、且つ、補強片５０ｂの外面が底片５０ａよりも上側に位置する枠状シート１０の内面に当接されることを特徴とする。【選択図】図２
0003198418.tif 000002
【実用新案登録請求の範囲】
【請求項１】
中空で上方及び下方に開口する逆角錘台状の枠体を構成する枠状シートと、
前記枠状シートの下端開口と相似形状で当該下端開口よりも大きな底片と、前記底片の各辺部のそれぞれに折れ目を介して連結される補強片とを有し、前記枠状シートに上方から挿入可能に構成された内側シートと、を備え、
前記内側シートは、前記枠状シートに挿入したとき、前記底片が前記枠状シートの下端から所定高さ位置に水平状態で前記枠状シートに嵌合され、且つ、前記補強片の外面が前記底片よりも上側に位置する前記枠状シートの内面に当接されることを特徴とするペーパー容器。
【請求項２】
前記補強片は、前記底片に対して逆台形状で、前記底片が前記枠状シートに嵌合した際、当該補強片に対応し且つ当該底片よりも上側の前記枠状シートのほぼ内面全体に外面が当接することを特徴とする請求項１に記載のペーパー容器。
【請求項３】
前記枠状シートと前記内側シートはストーンペーパーによって形成されていることを特徴とする請求項１又は請求項２に記載のペーパー容器。
【請求項４】
前記枠状シートは偶数の角を持つ逆正角錐台状の枠体として構成され、前記枠状シートは斜辺部で折り畳み可能に構成されていることを特徴とする請求項１から請求項３のいずれか一項に記載のペーパー容器。
【請求項５】
フラワーポット又はプランターとして構成されていることを特徴とする請求項１から請求項４のいずれか一項に記載のペーパー容器
【考案の詳細な説明】
【技術分野】
【０００１】
本考案はペーパー容器に関するものである。
【背景技術】
【０００２】
従来、フラワーポット又はプランターとして、磁器、陶器又はプラスチックで形成されたものが知られている（例えば、非特許文献１参照）。
【先行技術文献】
【非特許文献】
【０００３】
【非特許文献１】ＵＲＬ：http://www.shopping-search.jp/category/1645/%E3%83%97%E3%83%A9%E3%83%B3%E3%82%BF%E3%83%BC%20-%E3%82%AB%E3%83%90%E3%83%BC?adp=2&utm_campaign=y_12_%25E3%2582%25AC%25E3%2583%25BC%25E3%2583%2587%25E3%2583%258B%25E3%2583%25B3%25E3%2582%25B0%25E3%2583%2597%25E3%2583%25A9%25E3%2583%25B3%25E3%2582%25BF%25E3%2583%25BC&utm_medium=cpc&utm_source=yahoo&tkid=k1002928113
【考案の概要】
【考案が解決しようとする課題】
【０００４】
例えば、中空状で上端及び下端が開口された有底円筒形のフラワーポットが知られているが、これらを複数ストックしておきたい場合、縦積みすることとなるが、フラワーポットが立体的であるので、ストックするのにある程度のスペースを確保しなければならない。
また、使用済みのフラワーポットの処分が面倒であるという問題がある。
このような問題は、中空状で上端及び下端が開口された有底円筒形の容器一般に生じるところである。
【０００５】
本考案は、ストック及び処分するのに便利なペーパー容器を提供することを目的とする。
【課題を解決するための手段】
【０００６】
請求項１に記載のペーパー容器は、
中空で上方及び下方に開口する逆角錘台状の枠体を構成する枠状シートと、
前記枠状シートの下端開口と相似形状で当該下端開口よりも大きな底片と、前記底片の各辺部のそれぞれに折れ目を介して連結される補強片とを有し、前記枠状シートに上方から挿入可能に構成された内側シートと、を備え、
前記内側シートは、前記枠状シートに挿入したとき、前記底片が前記枠状シートの下端から所定高さ位置に水平状態で前記枠状シートに嵌合され、且つ、前記補強片の外面が前記底片よりも上側に位置する前記枠状シートの内面に当接されることを特徴とする。
【０００７】
請求項２に記載のペーパー容器は、請求項１に記載のペーパー容器であって、前記補強片は、前記底片に対して逆台形状で、前記底片が前記枠状シートに嵌合した際、当該補強片に対応し且つ当該底片よりも上側に位置する前記枠状シートのほぼ内面全体に外面が当接することを特徴とする。
【０００８】
請求項３に記載のペーパー容器は、請求項１又は請求項２に記載のペーパー容器であって、前記枠状シートと前記内側シートはストーンペーパーによって形成されていることを特徴とする。
【０００９】
請求項４に記載のペーパー容器は、請求項１から請求項３のいずれか一項に記載のペーパー容器であって、前記枠状シートは偶数の角を持つ逆正角錐台状の枠体として構成され、前記枠状シートは斜辺部で折り畳み可能に構成されていることを特徴とする。
【００１０】
請求項５に記載のペーパー容器は、請求項１から請求項４のいずれか一項に記載のペーパー容器であって、フラワーポットとして構成されていることを特徴とする。
【考案の効果】
【００１１】
請求項１に記載のペーパー容器によれば、紙素材の枠状シート及び内側シートによってペーパー容器が形成されるので、ストックする際には折り畳めるとともに、処分が容易に行えることとなる。
【００１２】
請求項２に記載のペーパー容器によれば、補強片は、当該補強片に対応し且つ当該底片よりも上側の枠状シートのほぼ内面全体に外面が当接するので、枠状シートの補強がなされ、形が崩れることがなくなる。
【００１３】
請求項３に記載のペーパー容器によれば、枠状シートと内側シートとはストーンペーパーによって形成されているので、防水性が高く、しかも丈夫なペーパー容器が実現できる。
【００１４】
請求項４に記載のペーパー容器によれば、偶数の角を持つ逆正角錘台状の枠体として構成され、枠状シートは斜辺部で折り畳み可能に構成されているので、折り畳み時には簡単に平面的なものとなり、頗る取扱い易いものとなる。
【００１５】
請求項５に記載のペーパー容器によれば、フラワーポット又はプランターとして構成されているので、手軽に家庭やオフィスで植物を育て鑑賞することができる。
【図面の簡単な説明】
【００１６】
【図１】本考案に係るペーパー容器の使用例を示した斜視図である。
【図２】本考案に係るペーパー容器の組立ての様子を示した斜視図である。
【図３】本考案に係るペーパー容器の枠状シート及び内側シートのそれぞれを展開した状態を示した図である。
【図４】本考案に係るペーパー容器の枠状シート及び内側シートのそれぞれを折り畳んだ状態を示した図である。
【図５】本考案に係るペーパー容器の断面図である。
【考案を実施するための形態】
【００１７】
以下、本考案に係るペーパー容器を図面に示した実施の形態に基づいて説明する。
【００１８】
（全体構成）
図１に示すように、実施形態に係るペーパー容器１はフラワーポット又はプランターとして構成されている。このペーパー容器１はストーンペーパーによって形成されている。このストーンペーパーは、炭酸カルシウム（石から抽出した無機鉱物粉末）を主原料とし、ポリエチレン樹脂、ポリプロピレン樹脂等のつなぎ用の基材として混入することができ、資源保護、ＣＯ２削減に貢献するものである。このストーンペーパーはその他耐久性、耐水性、分解性及び筆記性にも優れる。
そして、このペーパー容器１は上端が開口し、その開口から土を入れて植物を植えることができるように構成されている。
なお、このペーパー容器１の大きさとしては、特に限定はされないが、厚さが４００〜７００μｍ程度のストーンペーパーを使用する場合、５〜１２ｃｍ程度とすることが好ましい。
【００１９】
（細部構成）
１．枠状シート１０について
図２に示すように、枠状シート１０は逆正四角錐台状に形成されている。枠状シート１０は内部が中空で上下に開口している。
図３はこの枠状シート１０の展開状態を示している。この枠状シート１０は１枚のストーンペーパー１１から形成されている。このストーンペーパー１１の外面側には印刷によって絵柄が付されている。この印刷のため、ストーンペーパー１１の外面側にはコーティング処理がなされていてもよい。このストーンペーパー１１は、枠状シート１０の逆台形状の側壁部分１０ａを４つ隣り合わせで連結した形状となっている。また、隣り合う側壁部分１０ａの境界となる箇所には、ストーンペーパー１１の内面側から見て谷折りを容易なものとする折り目１３ａが形成されている。さらに、ストーンペーパー１１の一端には糊代部分１４が付設されている。また、この糊代部分１４と当該糊代部分１４に隣り合う側壁部分１０ａとの境界となる箇所にも、ストーンペーパー１１の内面側から見て谷折りを容易なものとする折り目１３ｂが形成されている。
そして、このストーンペーパー１１は、ストーンペーパー１１の一端部に付設された糊代部分１４とストーンペーパー１１の他端部とを接着剤で結合するとともに、各折り目１３ａ，１３ｂをストーンペーパー１１の内面側から見て谷折りし逆正四角錐台状に膨らませることによって枠状シート１０が形成される。この場合、糊代部分１４は、特に限定はされないが、枠状シート１０の外面側に露出しないように、糊代部分１４の外面側がストーンペーパー１１の他端部の内面側に結合されることが好ましい。なお、この実施形態では、糊代部分１４とストーンペーパー１１の他端部とを接着剤で結合したが、粘着テープその他の結合手段により結合してもよい。
図４は枠状シート１０の折畳み状態を示している。この枠状シート１０は折り畳むと平面的となる。すなわち、この枠状シート１０は対向する折り目１３ａ，１３ａ又は折り目１３ａ，１３ｂで、ストーンペーパー１１の内面側から見て谷折りすることで平面的となる。この場合、折り目１３ａ，１３ａの組及び折り目１３ａ，１３ｂの組の一方の折り目の組は折られない。
【００２０】
２．内側シート５０について
図２に示すように、内側シート５０は、ペーパー容器１の底を形成する正方形の底片５０ａと、この底片５０ａの４辺にそれぞれ連結され枠状シート１０の側壁部分１０ａの内面に外面が当接可能な補強片５０ｂとから構成されている。
ここで、底片５０ａは、枠状シート１０の下端開口と相似形で且つ当該下端開口よりも大きく形成されている。この底片５０ａの各辺部には補強片５０ｂが起立状態で形成されている。合計４つの補強片５０ｂは逆台形状で４つの側壁部分１０ａと一対一で対応している。そして、この内側シート５０を底片５０ａを下にして枠状シート１０の上端開口から挿入すると、内側シート５０は底片５０ａの大きさに見合った箇所で枠状シート１０に嵌合する。このとき、各補強片５０ｂの外面が、対応する側壁部分１０ａのほぼ内面全体に当接する。
図３はこの内側シート５０の展開状態を示している。この内側シート５０は１枚のストーンペーパー５１から形成されている。このストーンペーパー５１は、内側シート５０の正方形の底片５０ａの４つの辺のそれぞれに逆台形状の補強片５０ｂを連結した形状となっている。また、底片５０ａと補強片５０ｂとの境界となる箇所には、ストーンペーパー５１の内面側から見て谷折りを容易なものとする折り目５３が形成されている。
図４は内側シート５０の折畳み状態を示している。この内側シート５０は折り畳むと平面的となる。すなわち、この内側シート５０は、１つの補強片５０ｂと底片５０ａとの境界に位置する折り目５３で、ストーンペーパー５１の内面側から見て谷折りすることで平面的となる。この場合、他の３つの補強片５０ｂと底片５０ａとの境界に位置する折り目５３は折られない。
【００２１】
（組立方法及び使用方法）
このペーパー容器１は、ストックされるときには、枠状シート１０は図４に示す折畳み状態とされ、内側シート５０は図４に示す折畳み状態又は図３に示す展開状態とされる。
使用する際には、図２に示すように、枠状シート１０は、各折り目１３ａ，１３ｂをストーンペーパー１１の内面側から見て谷折りし逆正四角錐台状（立体）に膨らませられる。また、内側シート５０は、図２に示すように、折り目５３を利用して、底片５０ａに対して補強片５０ｂが起立させられる。
そして、内側シート５０を底片５０ａを下にして枠状シート１０の上端開口から挿入すると、図５に示すように、内側シート５０は底片５０ａの大きさに見合った箇所で枠状シート１０に嵌合する。このとき、各補強片５０ｂの外面が、対応する側壁部分１０ａのほぼ内面全体に当接する。この場合、底片５０ａによって、ペーパー容器１の底が形成され、各補強片５０ｂの外面が底片５０ａよりも上側に位置する枠状シート１０の内面に当接される。これによって、枠状シート１０が補強され、底片５０ａが枠状シート１０から抜けにくいものとなる。
この状態で、ペーパー容器１に土を入れ、植物を植える。この状態が図１に示されている。この場合、土によって、各補強片５０ｂの外面が、対応する側壁部分１０ａのほぼ内面全体に押し付けられることによって、さらに、底片５０ａが枠状シート１０から抜けにくいものとなる。必要であれば、ペーパー容器１を皿の上に設置し、植物に水を与えることもできる。この場合、適度な水が植物に与えられ、余分な水は隣り合う補強片５０ｂの隙間から洩れ、枠状シート１０の内面を伝わって皿に流れる。
なお、ペーパー容器１に土を入れずに、単にペーパー容器１を置物として使用してもよいし、筆記具等の小物類の入れ物として利用してもよい。
【００２２】
（作用及び効果）
この実施形態のペーパー容器１によれば、次のような作用、効果を奏する。
第１に、使用時に、枠状シート１０を膨らませ、その中に内側シート５０を入れるだけなので、簡単に組み立てることができるという効果が得られる。
第２に、ストーンペーパー等の紙を素材としているため軽量である上、折り畳むことができるため、持運びが便利であるとともに、ストックの際に広い場所を必要としないという効果が得られる。
第３に、ストーンペーパー等の紙を素材としているため軽量であり、高所から落としても、割れることがなく、怪我に結びつく心配が軽減されるという効果が得られる。
第４に、使用後は燃えるゴミとして処理できるという効果が得られる。その際、内側シート５０を外す場合、底片５０ａを下方から押し上げることにより簡単に枠状シート１０から内側シート５０を離脱させることができる。
第５に、枠状シート１０の外面に絵が存在するので装飾的にも優れたものとなる。実施形態では、予め外面に印刷により絵を形成しておいたが、空白にしておきユーザーが後から絵を描くことも可能である。
【００２３】
（変形例）
以上、本考案の実施形態について説明したが、本考案は、かかる実施形態に限定されるものではなく、その要旨を逸脱しない範囲で変形可能であることは言うまでもない。
【００２４】
例えば、上記実施形態では、枠状シート１０を逆正四角錐台状に形成したが、これに限定されず、その他の逆角錐台状としてもよい。ただし、この場合、意匠的には逆正角錐台状とすることが好ましい。さらに、平面的に折り畳むのに、隣り合う側壁部分１０ａの折り目１３ａ、１３ｂを利用するためには角を偶数とすることが好ましい。なお、平面的に折り畳むのに、隣り合う側壁部分１０ａの折り目１３ａ、１３ｂ以外に折り目を形成しておいてもよい。
【００２５】
また、上記実施形態では、ペーパー容器１をフラワーポット又はプランターに適用した場合を示したが、このペーパー容器１はゴミ箱や小物類の入れ物にも適用できる。
【００２６】
また、上記実施形態では、ペーパー容器１の表面に予め絵柄を付した例について述べたが、表面を白紙にしておき、鉛筆、ボールペン又はマーカー等でメッセージやイラスト等を描いて贈答用としても利用できる。さらに、会社のロゴなどを入れ広告媒体としても利用できる。
【００２７】
また、上記実施形態では、ストーンペーパーでペーパー容器１を形成したが、軽量、耐水性又は耐久性等を有し、ペーパー容器１の目的に資するものであれば、ペーパー素材の種類を問わない。
【符号の説明】
【００２８】
１      ペーパー容器
１０   枠状シート
１０ａ    側壁部分
１３ａ，１３ｂ    折り目
５０    内側シート
５０ａ    底片
５０ｂ    補強片
５３    折り目
【図１】
0003198418.tif 000003
【図３】
0003198418.tif 000004
【図４】
0003198418.tif 000005
【図５】
0003198418.tif 000006
【図２】
0003198418.tif 000007